(57)【要約】【課題】  低コストで見栄えを損なうことなく雨樋の排水処理量を増加させることが可能な竪樋用継手を提供すること。【解決手段】  竪樋用継手１は、排水に用いられる竪樋１５，１６を接続し、内部に中空の排水路６を有する中空の継手であって、周壁２から排水路６内に突出して排水路６内に竪樋１５，１６の内径よりも小さい開口部５を形成する絞り部４を備えている。【選択図】      図１
2006132287.tif 000002
【特許請求の範囲】
【請求項１】
排水に用いられる竪樋を接続し、内部に中空の排水路を有する竪樋用継手であって、
周壁から前記排水路内に突出して該排水路内に前記竪樋の内径よりも小さい開口を形成する絞り部を備えることを特徴とする竪樋用継手。
【請求項２】
前記開口は円形状を呈していることを特徴とする請求項１に記載の竪樋用継手。
【請求項３】
前記竪樋と該竪樋の一端から他の方向に延びる延在樋とを接続する曲管継手であって、
前記竪樋が接続される端部側に前記絞り部が配されることを特徴とする請求項１又は請求項２に記載の竪樋用継手。
【請求項４】
前記竪樋と該竪樋から分岐する分岐樋とを接続する分岐管継手であって、
前記分岐樋の分岐位置よりも上方の前記竪樋が接続される端部側に前記絞り部が配されることを特徴とする請求項１又は請求項２に記載の竪樋用継手。
【発明の詳細な説明】
【技術分野】
【０００１】
本発明は、排水に用いられる一の竪樋と他の樋とを接続するための竪樋用継手に関する。
【背景技術】
【０００２】
従来より、屋根の軒先からの雨水を下方に排水するために、例えば、屋根の軒先に取付けられた軒樋に継手を介して呼び樋や竪樋を接続し、さらに、この竪樋を地中に埋設された排水管に接続する雨樋の構造が知られている。
【０００３】
しかしながら、このような雨樋の構造において、軒樋で処理できる水の流量を増やすためには、軒樋自体の断面寸法や呼び樋、竪樋の径を大きくしたり、これらの本数を増やしたりする必要があり、コストの上昇や見栄えの低下を招来する。
【０００４】
そこで、このような径の拡大や本数の増加等を招くことなく排水処理量を増加させる雨樋の構造として、サイホン式の排水システムが考案されている（例えば、特許文献１及び特許文献２参照）。
【０００５】
すなわち、特許文献１には、軒樋の底面に、軒樋よりも小さくかつ竪樋よりも大きな断面寸法を有した凹部状の落し口を設け、この落し口の底面に竪樋を接続したサイホン式排水システムが記載されている。
【０００６】
また、特許文献２には、樋状体に設けられた落とし口の上方に、二枚の平行な平板を互いに間隔をおいて配設した屋根取水口が記載されている。
【０００７】
しかしながら、特許文献１に記載の雨樋では、凹部状の落し口としては大きな深さを有したものでないと効果が期待できないが、軒樋の底面に大きな深さを有した凹部状の落し口を設けると、軒樋を下方から見たときに大きな落とし口が視認され、やはり外観上見栄えがよくない。
【０００８】
また、特許文献２に記載の雨樋では、平板に落ち葉等の塵が引っ掛かり落とし口にゴミ詰まりを発生させ易く、塵の除去が煩瑣である。さらに、落とし口の排水構造が複雑でやはりコストの上昇を招くという問題もある。
【特許文献１】特開平９−１１１９７２号公報
【特許文献２】特表平８−５０６３９６号公報
【発明の開示】
【発明が解決しようとする課題】
【０００９】
本発明は、このような問題に鑑みてなされたもので、低コストで見栄えを損なうことなく雨樋の排水処理量を増加させることが可能な竪樋用継手を提供することを課題としている。
【課題を解決するための手段】
【００１０】
このような課題を解決するために、請求項１に記載の発明は、排水に用いられる竪樋を接続し、内部に中空の排水路を有する竪樋用継手であって、周壁から前記排水路内に突出して該排水路内に前記竪樋の内径よりも小さい開口を形成する絞り部を備える竪樋用継手であることを特徴とする。
【００１１】
請求項２に記載の発明は、請求項１に記載の竪樋用継手において、前記開口は円形状を呈していることを特徴とする。
【００１２】
請求項３に記載の発明は、請求項１又は請求項２に記載の竪樋用継手において、前記竪樋と該竪樋の一端から他の方向に延びる延在樋とを接続する曲管継手であって、前記竪樋が接続される端部側に前記絞り部が配されることを特徴とする。
【００１３】
請求項４に記載の発明は、請求項１又は請求項２に記載の竪樋用継手において、前記竪樋と該竪樋から分岐する分岐樋とを接続する分岐管継手であって、前記分岐樋の分岐位置よりも上方の前記竪樋が接続される端部側に前記絞り部が配されることを特徴とする。
【発明の効果】
【００１４】
請求項１乃至請求項４のいずれかに記載の発明によれば、周壁から排水路内に突出して竪樋の内径よりも小さい開口を形成する絞り部が内部に設けられているので、絞り部によってサイホン現象が誘発され、この竪樋用継手が用いられた雨樋における排水処理能力を大幅に向上させることができる。また、従来のように軒樋自体の断面寸法や呼び樋、竪樋の径を大きくしたり、これらの本数を増やしたりする必要がなく、また竪樋用継手の構造自体が簡単でさらに外観上は通常の継手となんら変わりがない。したがって、竪樋用継手では、コストの上昇や見栄えの低下という問題を招来することなく、雨樋の排水処理量を増加させることができる。
【発明を実施するための最良の形態】
【００１５】
以下、図面を参照して本発明の実施の形態について説明する。  
【００１６】
図１は、本発明の実施の形態に係る竪樋用継手を示す。この竪樋用継手１は、その四隅が内側に向けて弧状に凹んだ平面視略正方形状の中空の筒体であり、この中空の空間が排水路６となる。竪樋用継手１は、例えば樹脂製で、射出成形によって形成される。竪樋用継手１の上下の両端（軸方向の両端）には、周壁２の内面にそれぞれ竪樋を内嵌するための接続部３が形成されている。
【００１７】
また、竪樋用継手１の内部には絞り部４が設けられている。絞り部４は、周壁２からこの周壁２と垂直方向に排水路６内に突出するとともに、その中央に軸方向下方に延びる円筒状の開口部（開口）５が設けられている。この開口部５は、その内径が竪樋の内径よりも小さく形成されて、排水路６内の水の流れを阻害するようになっている。
【００１８】
この竪樋用継手１は、接続部３にそれぞれ排水に用いられる竪樋を内嵌させることにより竪樋同士を接続するもので、図２はこの竪樋用継手１を用いた雨樋システムの例を示したものである。この雨樋システム１０では、家屋の屋根３０の軒先に軒樋１１が取付けられ、この軒樋１１の下方にエルボ１２を介して呼び樋１３の一端が接続されている。一方、呼び樋１３の他端にはエルボ１４を介して竪樋１５の上端が接続される。竪樋１５の下端は竪樋用継手１を介して竪樋１６の上端と接続される。すなわち、竪樋１５の下端が竪樋用継手１の上端の接続部３に内嵌するとともに、竪樋１６の上端が竪樋用継手１の下端の接続部３に内嵌することで、竪樋１５と竪樋１６とが接続される。さらに、竪樋１６の下端は排水管カバー１７を介して地中に埋設された排水管１８に接続される。
【００１９】
この雨樋システム１０では、軒樋１１、呼び樋１３、竪樋１５，１６、さらにはエルボ１２，１４、竪樋用継手１が排水管１８への排水路６を形成しており、屋根３０に降った雨水は軒樋１１で受けられた後、エルボ１２、呼び樋１３、エルボ１４、竪樋１５、竪樋用継手１、竪樋１６内の排水路６を順に流れることによって家屋の外壁３１に沿って流下して、最終的に排水管１８に排水される。
【００２０】
このとき、竪樋１５を流れる雨水は、竪樋用継手１の絞り部４によっていったんその流れが阻害される。これによって絞り部４より上方の排水路６内が満水状態となってサイホン現象を引き起こすことになり、下方側（排水管１８側）に勢いよく排水されることとなる。ここでのサイホン現象について説明すると、上方からの雨水の流れが絞り部４によって阻害され上方の排水路６内が満水状態となると、絞り部４の下方の排水路６内には空気が流入しにくくなる。これにより、下方の排水路６内の雨水が気泡を含まない真空状態に近くなる結果、下方の雨水が流下しながら大きな力で上方の雨水を引っ張り込むようになるので、排水路６内において雨水が流れやすくなる。
【００２１】
この実施の形態に係る竪樋用継手１では、周壁２からこの周壁２と垂直方向に排水路６内に突出して竪樋１５の内径よりも小さい開口部５を有する絞り部４が設けられているので、上述のようにこの絞り部４によってサイホン現象が誘発され、この竪樋用継手１が用いられた雨樋システム１０における排水処理能力を大幅に向上させることができる。
【００２２】
また、従来のように軒樋自体の断面寸法や呼び樋、竪樋の径を大きくしたり、これらの本数を増やしたりする必要がなく、また竪樋用継手１の構造自体が簡単でさらに外観上は通常の継手となんら変わりがない。したがって、竪樋用継手１では、コストの上昇や見栄えの低下という問題を招来することなく、雨樋の排水処理量を増加させることができる。
【００２３】
さらに、雨樋の継手部分である竪樋用継手１に絞り部４が形成されているので、汎用性が高く、通常の雨樋にこの竪樋用継手１を用いるだけでサイホンの効果を容易に得ることができる。
【００２４】
なお、本発明は上述した実施の形態に限られるものではなく、例えば本実施の形態では、竪樋用継手（竪樋用継手１）は一の竪樋（竪樋１５）と他の竪樋（竪樋１６）とを接続する継手として説明したが、これに限定されるものではなく、例えば竪樋と呼び樋等とを接続する曲管継手（エルボ）や竪樋と分岐する樋とを接続する分岐管継手（チーズ）等であってもよい。
【００２５】
例えば、模式的に図３（ａ）に示すように、曲管継手２０は竪樋２１とこの竪樋２１の一端から他の方向に延びる呼び樋（延在樋）２２とを接続するものであって、曲管継手２０の端部のうち、竪樋２１が接続される端部側（図３（ａ）の下端側）に絞り部４を形成するようにする。また、模式的に図３（ｂ）に示すように、分岐管継手２５は竪樋２６，２７とこの竪樋２６，２７から分岐する横樋（分岐樋）２８とを接続するものであって、分岐管継手２５の３つの端部のうち、竪樋２６が接続される上端側（分岐位置よりも上端側）に絞り部４を形成するようにする。このように絞り部４を設けることにより、確実にサイホン現象を誘発することが可能となる。
【図面の簡単な説明】
【００２６】
【図１】本発明の実施の形態に係る竪樋用継手を示し、（ａ）は上方から見た斜視図であり、（ｂ）は下方から見た斜視図である。
【図２】図１の竪樋用継手が用いられた雨樋システムの一例を示す図である。
【図３】竪樋用継手が用いられた雨樋システムの他の例を模式的に示し、（ａ）は竪樋用継手が曲管継手の場合を示す図であり、（ｂ）は竪樋用継手が分岐管継手の場合を示す図である。
【符号の説明】
【００２７】
１                            竪樋用継手
２                            周壁
４                            絞り部
５                            開口部（開口）
６                            排水路
１５、１６、２１、２６、２７  竪樋
２０                          曲管継手（竪樋用継手）
２２                          呼び樋（延在樋）
２５                          分岐管継手（竪樋用継手）
２８                          横樋（分岐樋）
【図１】
2006132287.tif 000003
【図２】
2006132287.tif 000004
【図３】
2006132287.tif 000005